(57)【要約】【課題】 本発明では、１モータでトレイと蓋の開閉を時間差で行うディスク記録再生装置において、従来ないほどの薄型化、及び、様々の状態で使用することを可能にすることで、従来にないほど利便性の高いディスク記録再生装置を実現することを課題とする。【解決手段】  回転トレイの回転駆動とトレイ格納蓋の開閉駆動を特別な機構により行うことで、前記駆動に要するスペースを小さくすることを実現する。また、特別な形状である、メインカムギアとトレイ欠歯ギアとトレイ格納蓋欠歯ギアの相互作用により、１モータで前記回転駆動と開閉駆動を時間差同期して行うことを実現することで、部品の数を減らし、省スペース化を実現する。さらに、偏在側センサと非偏在側センサの機能により、様々な状態で使用しても規格外のディスクが載置されたという不具合を未然に検知することを可能にする。【選択図】図１
2008262634.tif 000002
【特許請求の範囲】
【請求項１】
ディスクドライブと機構駆動モータとを備えた本体と、
機構駆動モータにより回転駆動されて、ディスク読取可能位置であるスタンバイ状態と、ディスク載置取出可能位置であるオープン状態と、に配置自在な回転トレイと、
回転トレイがオープン状態にあるときには開状態、回転トレイがスタンバイ状態にあるときは閉状態となるように前記回転トレイの回転駆動に時間差同期して前記機構駆動モータによって開閉駆動されるトレイ格納蓋と、
からなるディスク記録再生装置。
【請求項２】
オープン状態にてスタンバイ状態となる向きに回転トレイを付勢するためのスタンバイ向付勢ばねを有する請求項１に記載のディスク記録再生装置。
【請求項３】
前記駆動モータによって駆動される二段欠歯ギア全三段構造のメインカムギアと、
メインカムギアの一の欠歯ギアと噛合って回転トレイに回転力を伝達するトレイ欠歯ギアと、
メインカムギアの他の欠歯ギアと噛合ってトレイ格納蓋に回転力を伝達するトレイ格納蓋欠歯ギアと、をさらに有し、
前記欠歯ギアの欠歯長は、前記時間差同期駆動のための長さである請求項１又は２に記載のディスク記録再生装置。
【請求項４】
トレイ欠歯ギア又は／及びトレイ格納蓋欠歯ギアの歯とメインカムギアの欠歯ギアの歯との当接領域が、噛合いタイミングとなる際に容易に噛合可能となるように、トレイ欠歯ギア又は／及びトレイ格納蓋欠歯ギアの歯をメインカムギア噛合い方向に付勢するための噛合付勢ばねを有する請求項１から３のいずれか一に記載のディスク記録再生装置。
【請求項５】
前記回転トレイのディスク載置面には、トレイ規格外の小型ディスクが回転トレイの回転駆動によってトレイ内で偏在した際にこれを検知するための偏在側センサと、非偏在側センサとを備えた請求項１から４のいずれか一に記載のディスク記録再生装置。
【発明の詳細な説明】
【技術分野】
【０００１】
本発明は、ディスク記録再生装置に関する。
【背景技術】
【０００２】
データを保存するためディスクにデータを記録する際や、ディスクに記録しているデータを読み出したりする際に使用するディスク記録再生装置において、ディスクを載置するトレイとそのトレイを保護する蓋が自動で開閉するものにおいては、それぞれの開閉のタイミングを時間差で制御して開閉する必要がある。従来は、トレイと蓋を開閉する為のモータ及び機構をそれぞれ設けることにより、前記時間差を実現していた。しかし、本体中にモータ及び機構を複数設けると、必然的に本体の厚みは増してしまい、ディスク記録再生装置の利便性が悪くなってしまう。
【０００３】
前記問題を解決する手段として、特許文献１のように、特殊な機構により１モータでトレイと蓋を時間差により開閉するものがある。特許文献１の発明は、一つのギアの回転運動でトレイを略円弧を描きながらスライドさせ、また、前記ギア側面に設けられた溝の中をスライドするアームの動きにより蓋を開閉するものである。しかし、特許文献１の発明は、トレイをスライド移動させるためには本体中にある程度十分なスペースが必要である。また、蓋を開閉するためは、前記アームが前記ギア側面に設けられた溝の中を十分にスライド移動できる必要があり、前記ギアは必然的に大きなものとなっている。すなわち、特許文献１の発明は、１モータでトレイと蓋を開閉することにより、必要とする部品の数を減らしある程度の薄型化を実現はしているものの、決して十分満足できるものではない。
【特許文献１】特開２００３−８５８６１
【発明の開示】
【発明が解決しようとする課題】
【０００４】
本発明では、従来にないほど利便性の高いディスク記録再生装置を提供することを課題とする。
【０００５】
すなわち、１モータでトレイと蓋の開閉を時間差で行うディスク記録再生装置において、トレイと蓋を時間差で開閉するための機構を工夫することによりディスク記録再生装置本体が必要とするスペースを小さくし、従来ないほどの薄型化を実現して利便性を高めたディスク記録再生装置を提供することを課題とする。
【０００６】
また、ディスク記録再生装置を様々の状態で使用することを可能にし、利便性を高めたディスク記録再生装置を提供することを課題とする。
【課題を解決するための手段】
【０００７】
上記課題を解決する手段として、本明細書では以下に挙げる発明を提供する。
【０００８】
第一の発明は、ディスクドライブと機構駆動モータとを備えた本体と、機構駆動モータにより回転駆動されて、ディスク読取可能位置であるスタンバイ状態と、ディスク載置取出可能位置であるオープン状態とに配置自在な回転トレイと、回転トレイがオープン状態にあるときには開状態、回転トレイがスタンバイ状態にあるときは閉状態となるように前記回転トレイの回転駆動に時間差同期して前記機構駆動モータによって開閉駆動されるトレイ格納蓋とからなるディスク記録再生装置を提供する。
【０００９】
第二の発明は、オープン状態にてスタンバイ状態となる向きに回転トレイを付勢するためのスタンバイ向付勢ばねを有する請求項１に記載のディスク記録再生装置を提供する。
【００１０】
第三の発明は、前記駆動モータによって駆動される二段欠歯ギア全三段構造のメインカムギアと、メインカムギアの一の欠歯ギアと噛合って回転トレイに回転力を伝達するトレイ欠歯ギアと、メインカムギアの他の欠歯ギアと噛合ってトレイ格納蓋に回転力を伝達するトレイ格納蓋欠歯ギアとをさらに有し、前記欠歯ギアの欠歯長は、前記時間差同期駆動のための長さである請求項１又は２に記載のディスク記録再生装置を提供する。
【００１１】
第四の発明は、トレイ欠歯ギア又は／及びトレイ格納蓋欠歯ギアの歯とメインカムギアの欠歯ギアの歯との当接領域が、噛合いタイミングとなる際に容易に噛合可能となるように、トレイ欠歯ギア又は／及びトレイ格納蓋欠歯ギアの歯をメインカムギア噛合い方向に付勢するための噛合付勢ばねを有する請求項１から３のいずれか一に記載のディスク記録再生装置を提供する。
【００１２】
第五の発明は、前記回転トレイのディスク載置面には、トレイ規格外の小型ディスクが回転トレイの回転駆動によってトレイ内で偏在した際にこれを検知するための偏在側センサと、非偏在側センサとを備えた請求項１から４のいずれか一に記載のディスク記録再生装置を提供する。
【発明の効果】
【００１３】
本発明は、１モータでトレイと蓋の開閉を時間差で行うディスク記録再生装置において、トレイと蓋を時間差で開閉するための特別な機構によりディスク記録再生装置本体が必要とするスペースを小さくすることを実現し、従来ないほどの薄型化を実現したディスク記録再生装置を提供することを可能にする。
【００１４】
また、偏在側センサと非偏在側センサの機能により、ディスク記録再生装置をいかなる状態で使用しても、規格外のディスクが載置されたという不具合を事前に検知することを可能にする。
【００１５】
これにより、本発明のディスク記録再生装置は従来にないほど利便性の高いものとなり、消費者の様々なニーズに十分応えることが可能になる。
【発明を実施するための最良の形態】
【００１６】
以下に図を用いて前記発明を実施するための最良の形態について説明する。ただし、本願の発明はこれらの実施形態に何ら限定されるものではなく、その要旨を逸脱しない範囲において、種々なる態様で実施しうる。なお、実施形態１は主に請求項１に関するものである。また、実施形態２は主に請求項２、３、４に関するものである。また、実施形態３は主に請求項５に関するものである。  
【００１７】
<<実施形態１>>
【００１８】
<実施形態の概要>  
【００１９】
実施形態１のディスク記録再生装置は、ディスクドライブと機構駆動モータとを備えた本体と、機構駆動モータにより回転駆動されてディスク読取可能位置であるスタンバイ状態とディスク載置取出可能位置であるオープン状態とに配置自在な回転トレイと、回転トレイがオープン状態にあるときには開状態、回転トレイがスタンバイ状態にあるときは閉状態となるように前記回転トレイの回転駆動に時間差同期して前記機構駆動モータによって開閉駆動されるトレイ格納蓋とからなる。
【００２０】
実施形態１のディスク記録再生装置は、１つの機構駆動モータにより時間差で回転トレイの回転駆動とトレイ格納蓋の開閉駆動を行い、その特別な機構により、従来にないほどの薄型化を実現したものである。
【００２１】
<実施形態１の構成>  
【００２２】
図１は、回転トレイ（０１０２）がスタンバイ状態にあるときのディスク記録再生装置を示す。かかる状態のときは、トレイ格納蓋（０１０１）は閉状態にあり、回転トレイ（０１０２）、トレイ格納蓋（０１０１）共に、本体（０１０３）と一体となって格納される。
【００２３】
図２は、回転トレイ（０２０２）がオープン状態にあるときのディスク記録再生装置を示す。かかる状態のときは、トレイ格納蓋（０２０１）は開状態にあり、回転トレイはディスクを載置又は取出しやすいように、ディスクを載置する面が完全にオープンな状態になっている。
【００２４】
「回転トレイ」（０１０２、０２０２）とは、ディスク記録再生装置にてディスクの読み取り等の作業を行う際に、ディスクを載置するトレイである。回転トレイは、利用者がディスクを載置または取出しする際、図２に示すように、載置又は取出しやすいようにディスクを載置する面が完全にオープンな状態になっている（０２０２）。そして、回転トレイは、ディスク読取可能位置であるスタンバイ状態では図１に示すように本体と同方向をむいて一体となり、本体の薄型化を実現している（０１０２）。
【００２５】
回転トレイ（０２０２）のディスクを載置する場所は、図２に示すように、１２ｃｍディスクの大きさにあわせて略円形にくりぬかれており、１２ｃｍディスクがちょうどはまり込むようになっている。これにより、利用者がディスクを載置する場所を容易に判別できるほか、回転トレイがディスク記録再生装置の有する機能により回転駆動しても、ディスクが回転トレイからはずれ落ちにくくなっている。
【００２６】
また、回転トレイ（０２０２）は、図２に示すように、読取り用ウインドウ（０２１０：破線網掛け部分）を有する。回転トレイは、本体に備えられた機構駆動モータ（０２０４）により回転駆動されるが、機構駆動モータの負担を軽減する為には、回転トレイは可能な限り軽量であることが望まれる。そこで、回転トレイ（０２０２）は余分な部品は有さず、ディスクドライブ等は本体に備えられている。よって、ディスクを載置した回転トレイがスタンバイ状態に位置したときには、前記読取り用ウインドウ（０２１０）を介して、本体に備えられたディスクドライブ等によりデータの読取り等がなされることとなる。
【００２７】
「トレイ格納蓋」（０１０１、０２０１）とは、ディスク記録再生装置において、前記回転トレイの外側に位置し、回転トレイ及び本体内部を保護する役目を果たす。また、トレイ格納蓋は図１に示すように、その一部に円形部分を有し、当該円形部分の本体側には、クランパーが設けられている。すなわち、トレイ格納蓋は、ディスクを載置して閉状態（図１）に位置した際には、前記クランパーによりディスクを押し込み、ディスクが本体に設けられたディスクドライブにより読取れる状態にする役目も果たす。
【００２８】
このように、本実施形態のディスク記録再生装置は、「回転トレイ」と「トレイ格納蓋」の相互作用により、ディスクが読取り可能になる。すなわち、まず回転駆動によりディスクを載置した回転トレイがスタンバイ状態に位置し、その後、時間差で開閉駆動によりトレイ格納蓋が閉状態に位置し前記クランパーによりディスクを押し込むことで、本体に設けられたディスクドライブにより読取りウインドウを介して読取り可能となる。
【００２９】
「本体」（０１０３、０２０３）とは、ディスク記録再生装置の回転トレイ及びトレイ格納蓋以外の部分をいい、  機構駆動モータ（０１０４、０２０４）、ウォーム（０１０５、０２０５）、ガイドレールＬ（０１０９、０２０９）、受け皿（０１０６、０２０６）、復動レバーＬ（０１０７、０２０７）、スタンバイ向付勢バネＬ（０１０８、０２０８）等が格納されている。
【００３０】
<実施形態１の処理の流れ>
【００３１】
以下、図面を用いて、本実施形態のディスク記録再生装置における、回転トレイおよびトレイ格納蓋の動作について説明する。
<<回転トレイ>>
【００３２】
「機構駆動モータによる回転駆動」とは、回転トレイを、スタンバイ状態からオープン状態へ、又はオープン状態からスタンバイ状態へ、トレイの向きを略９０度回転させながら移動させる駆動をいい、機構駆動モータと、前記機構駆動モータの回転運動を伝達する複数のギアと、複数のトレイ駆動アームと、複数のガイドレールとトレイシャフト等からなる機構により作動している。
【００３３】
図４、図５を用いて回転トレイをオープン状態（図５）からスタンバイ状態（図４）へ移動させる回転駆動について説明する。図５はオープン状態にある回転トレイ（０５０２）を、図４はスタンバイ状態にある回転トレイ（０４０２）の概略図を示している。図５に示すように、回転トレイ（０５０２）は、トレイ駆動アームＬ（０５１７：以下、Ｔ駆動アームＬという）と、その反対側に設けられたトレイ駆動アームＲ（０５２３：以下、Ｔ駆動アームＲという）のみにより、回転トレイの側面ほぼ中心点で固定されている。そして、回転トレイの上方左右２箇所に設けられた、トレイ突起Ｌ（０５１８：反対側のトレイ突起は図示せず）は、図５に示すように、ガイドレールＬ（０５０９）の有するレールにレール上移動自在にセットされている。トレイ突起Ｌ（０５１８）は、ガイドレールＬのレールに従った上下方向の移動のみが可能である。本実施形態のディスク記録再生装置は、図示していないが、ガイドレールＬ及び突起Ｌ等と対応する反対側に、ガイドレールＲ及び突起Ｒ等を有しており、これらは同様の機能を有している。すなわち、当該トレイ突起Ｌ、Ｒ（０５１８）とガイドレールＬ、Ｒ（０５０９）等の機能により回転トレイ（０５０２）の動きが規制されている。
【００３４】
すなわち、図５のオープン状態から、まず、機構駆動モータ（０５０４）の回転運動により、Ｔ駆動アームＬ（０５１７）が、図面上反時計回りに回転し始め、当該動きに伴いＴ駆動アームＲも、図面上、反時計回りに回転し始める。（機構駆動モータによるＴ駆動アームＬの駆動メカニズムについては、後述する）そして、当該動きに伴い、２つのトレイ突起（０５１８）がガイドレール（０５０９）のレールに従って上方向に移動し始める。
【００３５】
２つのトレイ突起（０５１８）が、図４に示すように、ガイドレール（０４０９）の有するレールの最高点に達し、Ｔ駆動アームＬ（０４１７）とＴ駆動アームＲ（図示せず）が図中略垂直な状態になったとき、回転トレイ（０４０２）はスタンバイ状態に位置することとなる。
【００３６】
次に、前記で省略した、機構駆動モータ（０５０４）の回転運動により駆動する、Ｔ駆動アームＬ（０５１７）の動きのメカニズムについて、図５を用いて説明する。
【００３７】
回転トレイを図５のオープン状態から図４のスタンバイ状態に変化させる際、利用者は、本体外部に設けられたスイッチ等により、回転トレイをスタンバイ状態に移動させる指示をだす。前記利用者の動作をきっかけに、機構駆動モータの機構駆動モータ（０５０４）が作動し始め、その動作に伴いウォーム（０５０５）が回転し始める。当該ウォーム（０５０５）の回転運動は、中継ギア（０５１１）、メインカムギア（０５１２）、トレイ欠歯ギア（０５２０）を経由して、トレイ駆動ギア（０５２１：以下、Ｔ駆動ギアという）を図面上時計回りに回転させる。そして、Ｔ駆動ギア（０５２１）の図面上時計回りの回転に伴い、トレイホルダーギア（０５２２：以下、Ｔホルダーギアという）は、図面上反時計回りに回転し始め、Ｔホルダーギア（０５２２）に固定されたＴ駆動アームＬ（０５１７）は、図面上反時計回りに回転移動する。
【００３８】
ここで、回転トレイをスタンバイ状態（図４）からオープン状態（図５）へ移動させる回転駆動は、ウォームが前記の場合とは逆に回転し、前記と同様のメカニズムでトレイ突起（０４１８）やＴ駆動アームＬ（０４１７）等を前記と逆向きに駆動させることで実現される。よって、ここでの詳細な説明は省略する。
<<トレイ格納蓋>>
【００３９】
「機構駆動モータによる開閉駆動」とは、トレイ格納蓋を、開状態から閉状態へ、又は閉状態から開状態へ、トレイ格納蓋の向きを略９０度回転させながら移動させる駆動をいい、機構駆動モータと、前記機構駆動モータの回転運動を伝達する複数のギアと、蓋シャフト等からなる機構により作動している。
【００４０】
図３、３１を用いてトレイ格納蓋を閉状態（図３）から開状態（図３１）へ移動させる開閉駆動について説明する。
【００４１】
トレイ格納蓋を閉状態（図３）から開状態（図３１）に変化させる際、利用者は、本体外部に設けられたスイッチ等により、トレイ格納蓋（０３０１）を開状態に移動させる指示をだす。前記利用者の動作をきっかけに、機構駆動モータの機構駆動モータ（０３０４）が作動し始め、その動作に伴いウォーム（０３０５）が回転し始める。当該ウォーム（０３０５）の回転運動は、中継ギア（０３１１）、メインカムギア（０３１２）、蓋欠歯ギア（０３１３）を経由して、蓋駆動ギア（０３１４）を図面上反時計回りに回転させる。そして、蓋駆動ギア（０３１４）の図面上反時計回りの回転に伴い、蓋ホルダーギア（０３１５）は、蓋シャフト（０３１６）を軸にして、図面上時計回りに回転し、蓋ホルダーギア（０３１５）に固定されたトレイ格納蓋（０３０１）は、図面上時計回りに回転移動して開状態（図３１）となる。
【００４２】
ここで、トレイ格納蓋を開状態（図３１）から閉状態（図３）へ移動させる開閉駆動は、ウォームが前記の場合とは逆に回転し、前記と同様のメカニズムで蓋ホルダーギアを逆向きに駆動させることにより実現される。よって、ここでの詳細な説明は省略する。
<<回転トレイの回転駆動とトレイ格納蓋の開閉駆動の時間差同期>>
【００４３】
回転トレイの回転駆動とトレイ格納蓋の開閉駆動を時間差を設けて駆動させる手段としては、後述する実施形態２のように欠歯ギア段を有するメインカムギアとトレイ欠歯ギアとトレイ格納蓋欠歯ギアの相互作用により実現しても良いが、本実施形態においては特段制限されない。
【００４４】
例えば、略円形の側面に突起が入り込むための溝を有しているギアと当該溝に入り込む為の突起を有しているギアとの相互作用を利用することにより実現しても良い。
【００４５】
<実施形態１の効果>
【００４６】
本実施形態のディスク記録再生装置は、１モータで回転トレイの回転駆動とトレイ格納蓋の開閉駆動を行うことにより、部品の数を減らすことを実現し、本体の薄型化を可能にする。
【００４７】
また、前記回転駆動は、トレイ突起、ガイドレール等により実現される特徴的な機構により実現されるものであり、本実施形態のディスク記録再生装置は、前記機構により回転駆動を行うために必要とするスペースを小さくすることを実現し、本体の薄型化を可能にする。
【００４８】
さらに、オープン状態ではディスクを載置しやすいように、ディスクを載置する面が完全にオープンな状態であるが、前記回転駆動により、スタンバイ状態では本体と同方向を向いて一体となることを実現し、本体の薄型化を可能にする。
【００４９】
<<実施形態２>>
【００５０】
<実施形態２の概要>  
【００５１】
実施形態２のディスク記録再生装置は、前記駆動モータによって駆動される全三段構造の「メインカムギア」（図６）を有し、当該「メインカムギア」の機能により、一つの駆動モータの回転運動のみで回転トレイの回転駆動及びトレイ格納蓋の開閉駆動を行うことを可能としたものである。
【００５２】
また、前記全三段構造のメインカムギアは、二段が欠歯ギアで一段が全歯ギアある二段欠歯ギア全三段構造である。実施形態２のディスク記録再生装置は、前記「メインカムギア」と、これと噛合う「トレイ欠歯ギア」及び「トレイ格納蓋欠歯ギア」との機能により、回転トレイの回転駆動とトレイ格納蓋の開閉駆動の動作タイミングを、時間差を設けて同期させることを可能としたものである。
【００５３】
さらに、前記「メインカムギア」と「トレイ欠歯ギア」及び「トレイ格納蓋欠歯ギア」との噛合いを容易にするための付勢バネを複数設け、駆動モータの負担を軽減すると共に、前記時間差同期の確実性を向上させることを可能としたものである。
【００５４】
<実施形態２の構成>  
【００５５】
以下、本実施形態において重要な役目を果たす「メインカムギア」について説明する。
【００５６】
また、前記「メインカムギア」と「トレイ欠歯ギア」と「トレイ格納蓋欠歯ギア」との相互作用による回転トレイの回転駆動とトレイ格納蓋の開閉駆動の時間差同期の仕組みについて説明する。
【００５７】
更に、前記時間差同期の精度を向上させる役目を果たす種々の「付勢バネ」について説明する。
<<メインカムギア>>
【００５８】
「メインカムギア」は、図６に示すように、円周上すべてが有歯である一つの全歯ギア段（０６１２Ａ）と、円周上の一部が有歯で一部が欠歯である二つの欠歯ギア段（０６１２Ｂ、０６１２Ｃ）との三段からなる二段欠歯ギア全三段構造である。
【００５９】
図８に、メインカムギアと、それと噛合うギアの噛合い状態を示す。
【００６０】
「メインカムギアの全歯ギア段」（０８１２Ａ）は、「中継ギア」（０８１１）と噛合う。中継ギア（０８１１）は、図７に示す全段全歯全二段構造である。すなわち、中継ギア（０８１１）の一つの全歯ギア段は、駆動モータのウォーム（０８０５）と噛合い、もう一つの全歯ギア段は、メインカムギアの全歯ギア段（０８１２Ａ）と噛合っている。
【００６１】
駆動モータの回転運動は、ウォーム（０８０５）、中継ギア（０８１１）を経由してメインカムギアに伝わることとなる。そして、メインカムギアの回転運動が、メインカムギアの欠歯ギア段（０８１２Ｂ）と噛合っているトレイ格納蓋欠歯ギア（０８１３）に伝わり、蓋駆動ギア（０８１４）が回転してトレイ格納蓋が開閉駆動する。また、メインカムギアの回転運動が、メインカムギアの欠歯ギア段（０８１２Ｃ）と噛合っている回転トレイ欠歯ギア（０８２０）に伝わり、トレイ駆動ギア（０８２１）が回転して回転トレイが回転駆動をすることとなる。
【００６２】
以下、メインカムギアの欠歯ギア段（０８１２Ｂ）とトレイ格納蓋欠歯ギア（０８１３）、及び、メインカムギアの欠歯ギア段（０８１２Ｃ）と回転トレイ欠歯ギア（０８２０）の噛合い状態について説明する。
<<<メインカムギアとトレイ格納蓋欠歯ギア>>>
【００６３】
「メインカムギアの蓋欠歯ギア段」（０８１２Ｂ：以下、Ｍ蓋欠歯ギア段という）は、全歯ギア段（０８１２Ａ）の隣に位置する欠歯ギア段で、「トレイ格納蓋欠歯ギア」（０８１３：以下、蓋欠歯ギアという）と噛合う。蓋欠歯ギア（０８１３）は、図９に示すように、一段欠歯ギア全二段構造であり、蓋欠歯ギア（０８１３）の全歯ギア段は、蓋駆動ギア（０８１４）と噛合う。そして、蓋欠歯ギア（０８１３）の欠歯ギア段がメインカムギアのＭ蓋欠歯ギア段（０８１２Ｂ）と噛合う。
【００６４】
図１１にメインカムギア（１１１２）のＭ蓋欠歯ギア段と蓋欠歯ギア（１１１３）の欠歯ギア段との噛合い状態を示す断面概略図を示す。この時、メインカムギア（１１１２）と蓋欠歯ギア（１１１３）との、接点（１１４０：以下、当接領域という）は、共に欠歯部分で接している。尚、Ｍ蓋欠歯ギア段の有歯部分の長さ（１１１２Ｄ）と蓋欠歯ギア欠歯ギア段の有歯部分の長さ（１１１３Ｂ）は等しい。また、メインカムギア（１１１２）と蓋欠歯ギア（１１１３）の欠歯部分同士の当接領域（１１４０）は、わずかな隙間を有していても良い。これにより、摩擦を軽減すること等ができメインカムギア（１１１２）のスムース動作を実現できる。
【００６５】
次に、図１１の状態から、機構駆動モータによりメインカムギア（１１１２）が図面上時計回りに回転した時の様子を図１２に示す。この時、メインカムギア（１２１２）の当接領域（１２４０）は、欠歯部分の状態が続く。よって、蓋欠歯ギア（１２１３）には機構駆動モータの回転運動は伝わらない。
【００６６】
ここで、メインカムギア（１２１２）の有歯部分は、図１２に示すように、当接領域（１２４０）において蓋欠歯ギア（１２１３）と接している面から掘り込むように形成されている。一方、蓋欠歯ギア（１２１３）の有歯部分は、当接領域（１２４０）においてメインカムギア（１２１２）と接している面から突き出るように形成されている。すなわち、メインカムギア（１２１２）と蓋欠歯ギア（１２１３）が噛合う際は、メインカムギア（１２１２）の有歯部分が凹部になり、蓋欠歯ギア（１２１３）の有歯部分が凸部となって噛合う。
【００６７】
よって、メインカムギア（１２１２）の当接領域（１２４０）に凹部がない図１２の状態においては、蓋欠歯ギア（１２１３）は、蓋欠歯ギアストッパー（１２１３Ａ）により、図面上反時計回りの回転は制限され、また、有歯部分（１２１３Ｃ）により、図面上時計回りの回転が制限される。すなわち、かかる状態のとき蓋欠歯ギアは回転しない。
【００６８】
次に、図１１の状態から、機構駆動モータによりメインカムギア（１１１２）が図面上反時計回りに回転した時の様子を図１３に示す。この時、メインカムギア（１３１２）の当接領域（１３４０）は有歯部分となり、蓋欠歯ギア（１３１３）の有歯部分と噛合って、蓋欠歯ギア（１３１３）は、図面上時計回りに回転する。そして、実施形態１と同様の仕組みで蓋欠歯ギアの回転が蓋駆動ギア、蓋ホルダーギアに伝わり、トレイ格納蓋が開閉駆動することとなる。
【００６９】
次に、図１３の状態から、機構駆動モータによりメインカムギア（１３１２）が、さらに図面上反時計回りに回転した時の様子を図１４に示す。この時、メインカムギア（１４１２）と蓋欠歯ギア（１４１３）の当接領域（１４４０）は欠歯部分同士となり、機構駆動モータの回転運動は蓋欠歯ギア（１４１３）に伝わらなくなる。そして、蓋欠歯ギア（１４１３）は、蓋欠歯ギアストッパー（１４１３Ａ）により、図面上時計回りの回転は制限され、また、有歯部分（１４１３Ｃ）により、図面上反時計回りの回転は制限される。すなわち、かかる状態のとき、蓋欠歯ギアは回転しない。
【００７０】
<<<メインカムギアとトレイ欠歯ギア>>>
【００７１】
「メインカムギアのトレイ欠歯ギア段」（０８１２Ｃ：以下、ＭＴ欠歯ギア段という）は、前記蓋欠歯ギア段（０８１２Ｂ）の隣に位置する欠歯ギア段で、図１０に示す一段欠歯ギア全二段構造の「トレイ欠歯ギア」と噛合う。トレイ欠歯ギア（０８２０）の全歯ギア段は、トレイ駆動ギア（０８２１）と噛合い、そして、トレイ欠歯ギア（０８２０）の欠歯ギア段がメインカムギアのＭＴ欠歯ギア段（０８１２Ｃ）と噛合う。
【００７２】
ＭＴ欠歯ギア段（０８１２Ｃ）とトレイ欠歯ギア（０８２０）の欠歯ギア段との噛合いは、前記、図１１〜図１４を用いて説明したＭ蓋欠歯ギア段（０８１２Ｂ）と蓋欠歯ギア（０８１３）の欠歯ギア段との噛合いと同様のメカニズムで機能する。よって、ここでの詳細な説明は省略する。
<<回転トレイの回転駆動とトレイ格納蓋の開閉駆動の時間差同期>>
【００７３】
回転トレイの回転駆動は、実施形態１で示したとおり、メインカムギアの回転がトレイ欠歯ギア、Ｔ駆動ギア、Ｔホルダーギア、Ｔ駆動アームＬの順に伝わり、実現される。
【００７４】
また、トレイ格納蓋の開閉駆動は、実施形態１で示したとおり、メインカムギアの回転が、蓋欠歯ギア、蓋駆動ギア、蓋ホルダーギアの順に伝わり、実現される。
【００７５】
すなわち、蓋欠歯ギアとトレイ欠歯ギアの回転を時間差同期させることで、回転トレイの回転駆動とトレイ格納蓋の開閉駆動の時間差同期を実現できる。
【００７６】
ここで、図１５にメインカムギア（１５１２）と蓋欠歯ギア（１５１３）とトレイ欠歯ギア（１５２０）との噛合い状態を示す断面概略図を示す。トレイ欠歯ギア（１５２０）は、メインカムギア（１５１２）の有するＭＴ欠歯ギア段（１５１２Ｃ：図面奥側）と噛合うように位置し、蓋欠歯ギア（１５１３）は、メインカムギア（１５１２）の有するＭ蓋欠歯ギア段（１５１２Ｂ：図面手前側）と噛合うように位置している。図３２にメインカムギア（３２１２）とトレイ欠歯ギア（３２２０）と蓋欠歯ギア（３２１３）との噛合い状態の側面図を示す。
【００７７】
図１５の状態から、機構駆動モータによりメインカムギア（１５１２）が図面上反時計回りに回転した時の様子を図１６に示す。この時、メインカムギア（１６１２）のＭ蓋欠歯ギア段と蓋欠歯ギア（１６１３）の当接領域（１６４０）が有歯部分同士となり、蓋欠歯ギア（１６１３）は、図面上時計回りに回転する。その間、メインカムギア（１６１２）のＭＴ欠歯ギア段とトレイ欠歯ギア（１６２０）の当接領域（１６４１）は欠歯部分同士であり、機構駆動モータの回転運動はトレイ欠歯ギア（１６２０）に伝わらず、トレイ欠歯ギア（１６２０）は回転しない。
【００７８】
次に、図１６の状態から、機構駆動モータによりメインカムギア（１６１２）を、さらに図面上反時計回りに回転した時の様子を図１７に示す。この時、メインカムギア（１７１２）のＭＴ欠歯ギア段とトレイ欠歯ギア（１７２０）の当接領域（１７４１）は有歯部分同士となり、トレイ欠歯ギア（１７２０）は図面上時計回りに回転する。その間、メインカムギア（１７１２）のＭ蓋欠歯ギア段と蓋欠歯ギア（１７１３）の当接領域（１７４０）は欠歯部分同士となり、機構駆動モータの回転運動は蓋欠歯ギア（１７１３）に伝わらず、蓋欠歯ギア（１７１３）は回転しない。
【００７９】
そして、図１７の状態から、機構駆動モータによりメインカムギア（１７１２）を、さらに図面上反時計回りに回転させると、図１８のように、メインカムギア（１８１２）のＭ蓋欠歯ギア段と蓋欠歯ギア（１８１３）の当接領域（１８４０）も、メインカムギア（１８１２）のＭＴ欠歯ギア段とトレイ欠歯ギア（１８２０）の当接領域（１８４１）も、共に欠歯部分同士となり、蓋欠歯ギア（１８１３）、トレイ欠歯ギア（１８２０）、いずれも回転しない。
【００８０】
前記のように、メインカムギアとトレイ欠歯ギアと蓋欠歯ギアの欠歯部分長を利用することで、機構駆動モータよりメインカムギアに伝わった回転運動を、トレイ欠歯ギアと蓋欠歯ギアに時間差を設けて伝えることができる。そして、回転トレイの回転駆動とトレイ格納蓋の開閉駆動の時間差同期を実現している。
【００８１】
尚、図１８の状態から、機構駆動モータによりメインカムギア（１８１２）を、図面上時計回りに回転させると、前記と同様のメカニズムで、まず、トレイ欠歯ギア（１８２０）が図面上反時計回りに回転し、その後、時間差で蓋欠歯ギア（１８１３）が図面上反時計回りに回転し、図１５の状態に戻ることとなる。
【００８２】
<<付勢バネ>>
【００８３】
<<<スタンバイ向付勢バネ>>>
【００８４】
「スタンバイ向付勢バネ」は、オープン状態にある回転トレイをスタンバイ状態に移動させようとする力を回転トレイに与える役目を果たす。これにより、オープン状態からスタンバイ状態に回転トレイが移動し始める初期作動に要するエネルギーを軽減できる。また、Ｔ駆動アーム、Ｔホルダーギア、Ｔ駆動ギアを経由して、トレイ欠歯ギアに回転するための付勢力を与え、当接領域が欠歯部分同士になっているトレイ欠歯ギアとメインカムギアの当接領域が噛合いタイミングになった際、有歯部分同士が容易に噛合うようにできる。
【００８５】
図１９に、回転トレイがスタンバイ状態にあるときのスタンバイ向付勢バネＬ（１９０８）を、図２０に、回転トレイがオープン状態にあるときのスタンバイ向付勢バネＬ（２００８）示す。
【００８６】
図２０に示すように、スタンバイ向付勢バネＬ（２００８）の上方フックは、本体に固定されているフック（２０２７）に固定されている。一方、スタンバイ向付勢バネＬ（２００８）の下方フックは、復動レバーＬ（２００７）の有するフック（２０２４）に固定されている。
【００８７】
ここで、復動レバーＬ（１９０７、２００７）は、図２０に示すように、縦長形状で、当該縦長面には、縦長のレール（２０２６）を２つ有している。復動レバーＬ（２００７）は、前記レール（２０２６）内に存在するネジ等（２０２５）により、本体にセットされているが、完全には固定されておらず、前記レール（２０２６）の長さの範囲において、上下移動が可能である。
【００８８】
また、復動レバーＬ（２００７）は最下部に受け皿（２００６）を有している。当該受け皿（２００６）は、図２０に示すように、回転トレイ（２００２）のトレイ突起Ｌ（２０１８）を受ける。すなわち、トレイ突起Ｌ（２０１８）が下方向に移動してきた際に、受け皿（２００６）はトレイ突起Ｌ（２０１８）と接触し、そのままトレイ突起Ｌ（２０１８）に押されて下方向に移動する。
【００８９】
次に、回転トレイ（１９０２、２００２）が、図１９のスタンバイ状態から、図２０のオープン状態に移動する際の、スタンバイ向付勢バネＬ（１９０８、２００８）の動きを説明する。
【００９０】
図１９のスタンバイ状態から、回転トレイ（１９０２）が機構駆動モータによりオープン状態へ移動し始めると、回転トレイ上方に設けられたトレイ突起Ｌ（１９１８）がガイドレールＬ（１９０９）のレールにしたがって、下方におりてくる。そして、トレイ突起Ｌ（１９１８）が復動レバーＬの受け皿（１９０６）と接触した後は、トレイ突起Ｌ（１９１８）はスタンバイ向付勢バネＬ（１９０８）の復元力に逆らいながら受け皿（１９０６）と共に更に下方に向かい、そして、図２０のオープン状態になる。
【００９１】
すなわち、図２０のオープン状態において、復動レバーＬのフック（２０２４）で下方を固定されているスタンバイ向付勢バネＬ（２００８）は、復動レバーＬが前記の通り下方に移動したことにより、伸ばされている状態にある。よって、この時、スタンバイ向付勢バネＬ（２００８）には復元力が働いている。前記復元力の向きは、復動レバーＬ（２００７）を上方に上げようとする力であり、すなわち、トレイ突起Ｌ（２０１８）を上方に上げて回転トレイをスタンバイ状態に移動させようとする方向に向いている。
【００９２】
前記回転トレイをスタンバイ状態に移動させようとする力は、図２１の概略図に示すように、Ｔ駆動アーム（２１１７）からＴホルダーギア（２１２２）、Ｔ駆動ギア（２１２１）、を経由して、トレイ欠歯ギア（２１２０）に、図面上破線矢印の方向に回転するための付勢力として伝わっている。
【００９３】
すなわち、図２２の概略図に示すように、メインカムギア（２２１２）とトレイ欠歯ギア（２２２０）の当接領域（２２４１）が、欠歯部分同士から、メインカムギア（２２１２）の図面上実線矢印方向の回転により噛合いタイミングになったとき、トレイ欠歯ギア（２２２０）は、図面上破線矢印の方向に働いている前記付勢力により、メインカムギア（２２１２）と容易に噛合うこととなる。
【００９４】
本ディスク記録再生装置は、図１９には示していないが、図面上回転トレイ上方右側で、トレイ突起Ｌ（１９１８、２０１８）と対応する場所にトレイ突起Ｒを有している。同様に、復動レバーＲ、スタンバイ向付勢バネＲを有しており、前記と同様のメカニズムで同様の働きを行っている。
<<<トレイ噛合付勢バネ>>>
【００９５】
「トレイ噛合付勢バネ」は、スタンバイ状態にある回転トレイをオープン状態に移動させようとする向きの力を回転トレイに与える役目を果たす。これにより、Ｔ駆動アーム、Ｔホルダーギア、Ｔ駆動ギアを経由して、トレイ欠歯ギアに回転する為の付勢力を与え、欠歯部分同士になっているトレイ欠歯ギアとメインカムギアの当接領域が、噛合いタイミングになった際、有歯部分が容易に噛合うようにできる。
【００９６】
図２３は、回転トレイ（２３０２）がスタンバイ状態にあるときのディスク記録再生装置を裏側からみた図である。トレイ噛合付勢バネ（２３２８）の上方フックは、回転トレイの裏側に固定セットされたフック（２３２９）に固定され、トレイ噛合付勢バネ（２３２８）の下方フックは、Ｔ駆動アーム（２３３１）に固定されたトレイ復動レバー（２３３０）に固定されている。
【００９７】
図２４は、スタンバイ状態にある回転トレイ（２４０２）及び、トレイ噛合付勢バネ（２４２８）、Ｔ駆動アーム（２４３１Ｂ）、トレイ復動レバー（２４３０Ｂ）を側面からみた図である。実線で描いたＴ駆動アーム（２４３１Ｂ）とトレイ復動レバー（２４３０Ｂ）は、回転トレイが完全にスタンバイ状態に位置したときのもので、破線で描いたＴ駆動アーム（２４３１Ａ）とトレイ復動レバー（２４３０Ａ）は、回転トレイが完全にスタンバイ状態に位置する直前のものである。
【００９８】
図２４に示すように、回転トレイ（２４０２）が完全にスタンバイ状態に位置する前、すなわち、トレイ復動レバー（２４３０Ａ）が破線で描いた状態の時は、トレイ噛合付勢バネ（２４２８）を引っ張る力は働いていないが、回転トレイ（２４０２）が完全にスタンバイ状態に位置した時、すなわち、トレイ復動レバー（２４３０Ｂ）が実線で描いた状態の時は、トレイ復動レバー（２４３０Ｂ）がトレイ噛合付勢バネ（２４２８）を下方向に引っ張ることとなる。
【００９９】
よって、回転トレイ（２４０２）が完全にスタンバイ状態に位置した時は、トレイ噛合付勢バネ（２４２８）には復元力が働いており、前記復元力の向きは、図面上、トレイ復動レバー（２４３０Ａ、２４３０Ｂ）とＴ駆動アーム（２４３１Ｂ、２４３１Ａ）とを実線の状態から破線の状態に移そうとする方向に向いている。前記復元力は、前記「スタンバイ向付勢バネ」の時と同様のメカニズムで、Ｔ駆動アームからＴホルダーギア、Ｔ駆動ギア、を経由してトレイ欠歯ギアに回転するための付勢力として伝わり、メインカムギアとトレイ欠歯ギアの当接領域が噛合いタイミングになったとき容易に噛合うように機能している。
<<<トレイ格納蓋噛合付勢バネ>>>
【０１００】
「トレイ格納蓋噛合付勢バネ」は、開状態にあるトレイ格納蓋を閉状態に移動させようとする向きの力をトレイ格納蓋に与える役目を果たす。これにより、蓋ホルダーギア、蓋駆動ギアを経由して、蓋欠歯ギアに回転する為の付勢力を与え、欠歯部分同士になっている蓋欠歯ギアとメインカムギアの当接領域が、噛合いタイミングになった際、有歯部分同士が容易に噛合うようにできる。
【０１０１】
図２５は、トレイ格納蓋が開状態にあるときのトレイ格納蓋噛合付勢バネ（２５３２）及び複数のギアを示す。また、図２６は、トレイ格納蓋が完全に開状態に位置する直前のトレイ格納蓋噛合付勢バネ（２６３２）及び複数のギアを示す。
【０１０２】
「トレイ格納蓋噛合付勢バネ」は、図２６に示すように、蓋シャフト（２６１６）に巻きつけて蓋ホルダーギア（２６１５）に設けられたスペース（２６３７）に組み込まれている。ここで、蓋ホルダーギア（２６１５）は、図２７の概略図に示すように、蓋シャフト用穴（２７３８）と、加圧用突起（２７３５）と、ストッパー突起用穴（２７３９：図中斜線部分）を有する。すなわち、図２６において、加圧用突起（２６３５）の上側に位置するストッパー用突起（２６３６）は、蓋ホルダーギア（２６１５）の有するものではなく、その裏側からストッパー突起用穴（２７３９）を介して突き出ているものである。ここで、ストッパー用突起（２６３６）は固定されており、蓋ホルダー（２６１５）が回転運動してもストッパー突起用穴（２７３９）による自由度により全く動かない。
【０１０３】
すなわち、蓋ホルダーギアが、図２６におけるトレイ格納蓋が完全に開状態に位置する直前の状態（２６１５）から反時計回りに回転して、図２５におけるトレイ格納蓋が完全に開状態に位置する状態（２５１５）になると、ストッパー用突起（２５３６、２６３６）は動かずにバネ右手（２５３３、２６３３）を同じ位置に固定し、加圧用突起（２５３５、２６３５）は、バネ左手（２５３４，２６３４）を蓋ホルダーギアの回転に伴って押し込むこととなる。すなわち、トレイ格納蓋が完全に開状態に位置する状態である図２５においては、バネ左手が加圧用突起（２５３５）を図中矢印の方向に押し返している。当該付勢力は、蓋ホルダーギア（２５１５）を図中破線矢印の方向に動かそうとする力であり、蓋駆動ギア（２５１４）、蓋欠歯ギア（２５１３）にも図中破線矢印の方向に付勢力が働くこととなる。
【０１０４】
これにより、メインカムギア（２５１２）と蓋欠歯ギア（２５１３）の当接領域が、噛合いタイミングになったときは容易に噛合うようになっている。尚、前記容易に噛合うメカニズムについては、図２２を用いて説明したメインカムギアとトレイ欠歯ギアのものと同様であるので、ここでの詳細な説明は省略する。
【０１０５】
<実施形態２の処理の流れ>
【０１０６】
一つの駆動モータのみで、回転トレイの回転駆動とトレイ格納蓋の開閉駆動を、時間差同期して行う処理について説明する。
【０１０７】
<<閉状態（スタンバイ状態）から開状態（オープン状態）への移動>>
【０１０８】
以下、ディスク記録再生装置が図１の閉状態（スタンバイ状態）から、図２の開状態（オープン状態）に移動する処理を図２８、２９、３０を用いて説明する。
【０１０９】
まず、利用者が、本体外部に設けられたトレイ格納蓋及び回転トレイを開状態及びオープン状態にするためのスイッチ等を押すこととなる。前記利用者の動作をきっかけに、図２８に示す機構駆動モータの機構駆動モータ（２８０４）が作動し始め、ウォーム（２８０５）が回転し始める。当該ウォーム（２８０５）の回転運動は、中継ギア（２８１１）を経由してメインカムギア（２８１２）に伝わる。メインカムギア（２８１２）が図面上反時計回りに回転し始めると、まず、図２９に示すように、メインカムギア（２９１２）のＭ蓋欠歯ギア段と蓋欠歯ギア（２９１３）の当接領域（２９４０）が噛合いタイミングになる。そして、機構駆動モータの回転運動は、蓋欠歯ギア（２９１３）、蓋駆動ギア（２９１４）、を経由して蓋ホルダーギア（２９１５）に伝わり、トレイ格納蓋は開状態に向かって回転する。この間、メインカムギア（２９１２）のＭＴ欠歯ギア段とトレイ欠歯ギア（２９２０）の当接領域（２９４１）は欠歯部分同士であり、トレイ欠歯ギア（２９２０）は回転せず、回転トレイは動かない。
【０１１０】
その後、更に、メインカムギア（２９１２）が図面上反時計回りに回転すると、図３０に示すように、メインカムギア（３０１２）のＭＴ欠歯ギア段とトレイ欠歯ギア（３０２０）の当接領域（３０４１）が噛合いタイミングになる。このとき、トレイ欠歯ギア（３０２０）にはトレイ噛合付勢バネによる付勢力が働いており、ＭＴ欠歯ギア段とトレイ欠歯ギア（３０２０）は容易に噛合う。そして、機構駆動モータの回転運動は、トレイ欠歯ギア（３０２０）、Ｔ駆動ギア（３０２１）、を経由してＴホルダーギア（３０２２）に伝わり、回転トレイはオープン状態に向かって回転する。この間、メインカムギア（３０１２）のＭ蓋欠歯ギア段と蓋欠歯ギア（３０１３）の当接領域（３０４０）は欠歯部分同士であり、蓋欠歯ギア（３０１３）は回転せず、トレイ格納蓋は動かない。
【０１１１】
尚、開状態（オープン状態）から閉状態（スタンバイ状態）への移動は、前記と同様のメカニズムで、ウォーム（２８０５）が前記と逆に回転することにより実現される。よって、ここでの詳細な説明は省略する。
【０１１２】
<実施形態２の効果>
【０１１３】
本実施形態のディスク記録再生装置は、「メインカムギア」を利用することで、一つの機構駆動モータにより、回転トレイの回転駆動とトレイ格納蓋の開閉駆動を行うことを可能にする。
【０１１４】
また、Ｍ蓋欠歯ギア段とＭＴ欠歯ギア段を有する「メインカムギア」と、「蓋欠歯ギア」と、「トレイ欠歯ギア」を利用することで、回転トレイの回転駆動とトレイ格納蓋の開閉駆動を時間差同期して作動させることを可能にする。
【０１１５】
さらに、「スタンバイ向付勢バネ」と、「トレイ噛合付勢バネ」と、「トレイ格納蓋噛合付勢バネ」を利用することで、前記欠歯ギアが噛合いタイミングとなった際に、容易に噛合うようにし、前記の時間差同期の精度を高めることを可能にする。
【０１１６】
すなわち、本実施形態のディスク記録再生装置は、前記機構により、数少ない部品で回転トレイの回転駆動とトレイ格納蓋の開閉駆動を高精度に時間差同期して作動させることを実現したものであり、部品の数を減らすことで、従来にない程の薄型化を実現したものである。
【０１１７】
<<実施形態３>>
【０１１８】
<実施形態３の概要>
【０１１９】
本実施形態のディスク記録再生装置は、前記回転トレイのディスク載置面に「偏在側センサ」と「非偏在側センサ」を有することで、トレイ規格外の小型ディスク等が載置された場合、回転トレイがスタンバイ状態に位置した時に、当該不具合を事前に検知することを可能にしたものである。
【０１２０】
<実施形態３の構成>
【０１２１】
「偏在側センサ」（３３０１）と「非偏在側センサ」（３３０２）は、図３３のように、ディスク記録再生装置の回転トレイ（３３０３）に設置され、自己の前にディスクを検知した時は「Ｈｉ」の信号を送り、自己の前にディスクを検知しないときは「Ｌｏ」の信号を送る。
【０１２２】
これらは、図３３に示すように、回転トレイがスタンバイ状態で垂直状態になった時、偏在側センサ（３３０１）が下側に、非偏在側センサ（３３０２）が上側に位置する。つまり、偏在側センサ（３３０１）は、１２ｃｍディスクが載置されスタンバイ状態になった際は、「Ｈｉ」の信号を送信し、８ｃｍディスクが載置されスタンバイ状態になった際、又は、いずれのディスクも載置されずにスタンバイ状態になった際は、「Ｌｏ」の信号を送信する。一方、非偏在側センサ（３３０２）は、１２ｃｍディスクが載置されスタンバイ状態になった際も、８ｃｍディスクが載置されスタンバイ状態になった際も、「Ｈｉ」の信号を送信する。そして、いずれのディスクも載置されずにスタンバイ状態になった際は、「Ｌｏ」の信号を送信する。
【０１２３】
当該関係を、以下の表に示す。
【表１】
2008262634.tif 000003
【０１２４】
このようにして、本実施形態のディスク記録再生装置は、「偏在側センサ」と「非偏在側センサ」の機能により、回転トレイにおける載置状態が「１２ｃｍディスクが載置」「８ｃｍディスクが載置」「ディスク無し」の３パターンのいずれであるかを識別可能である。
【０１２５】
尚、現在一般的に使用されているディスクは、１２ｃｍディスクと８ｃｍディスクであることに鑑み、前記偏在側センサ（３３０１）と非偏在側センサ（３３０２）の位置関係は、８ｃｍディスクが回転トレイに載置された際は必ずいずれか一方のセンサのみが「Ｈｉ」の信号を送信し、もう一方のセンサは必ず「Ｌｏ」の信号を送るように位置している。すなわち、本実施形態のディスク記録再生装置は、図１のように立てた状態だけでなく寝かした状態等、あらゆる状態で使用しても偏在側センサと非偏在側センサの機能により、規格外のディスクが載置されるという不具合を事前に検知することが可能である。
【０１２６】
<実施形態３の効果>
【０１２７】
本実施形態のディスク記録再生装置は、偏在側センサと非偏在側センサの機能により、規格外のディスクが載置されてもスタンバイ状態において事前に検知し、トラブルが生じるのを未然に防止することが可能である。
【０１２８】
また、前記偏在側センサと非偏在側センサの位置関係により、ディスク記録再生装置を立てた状態で使用しても寝かした状態で使用しても、規格外のディスクが載置されたという不具合を未然に検知することが可能である。
【０１２９】
すなわち、本実施形態のディスク記録再生装置は、偏在側センサと非偏在側センサの機能により、様々な状態で使用しても規格外のディスクが載置されたという不具合を未然に検知することを可能にした、今までにないほど利便性の高いものである。
【図面の簡単な説明】
【０１３０】
【図１】閉状態（スタンバイ状態）のディスク記録再生装置
【図２】開状態（オープン状態）のディスク記録再生装置
【図３】閉状態のトレイ格納蓋
【図４】スタンバイ状態の回転トレイ
【図５】オープン状態の回転トレイ
【図６】メインカムギア
【図７】中継ギア
【図８】複数のギアの噛合い状態１
【図９】蓋欠歯ギア
【図１０】トレイ欠歯ギア
【図１１】メインカムギアと蓋欠歯ギアの噛合い状態１
【図１２】メインカムギアと蓋欠歯ギアの噛合い状態２
【図１３】メインカムギアと蓋欠歯ギアの噛合い状態３
【図１４】メインカムギアと蓋欠歯ギアの噛合い状態４
【図１５】メインカムギアと蓋欠歯ギアとトレイ欠歯ギアの噛合い状態１
【図１６】メインカムギアと蓋欠歯ギアとトレイ欠歯ギアの噛合い状態２
【図１７】メインカムギアと蓋欠歯ギアとトレイ欠歯ギアの噛合い状態３
【図１８】メインカムギアと蓋欠歯ギアとトレイ欠歯ギアの噛合い状態４
【図１９】スタンバイ状態のスタンバイ向付勢バネ
【図２０】オープン状態のスタンバイ向付勢バネ
【図２１】スタンバイ向付勢バネの付勢力の概要図
【図２２】メインカムギアとトレイ欠歯ギアの噛み合いタイミング
【図２３】スタンバイ状態のトレイ噛合付勢バネ
【図２４】スタンバイ状態及びその直前のトレイ噛合付勢バネ
【図２５】開状態のトレイ格納蓋噛合い不勢バネ
【図２６】開状態の直前のトレイ格納蓋噛合い不勢バネ
【図２７】蓋ホルダーギア
【図２８】複数のギアの噛合い状態２
【図２９】複数のギアの噛合い状態３
【図３０】複数のギアの噛合い状態４
【図３１】開状態のトレイ格納蓋
【図３２】メインカムギアと蓋欠歯ギアとトレイ欠歯ギアの噛合い状態５
【図３３】回転トレイにおける偏在側センサと非偏在側センサ
【符号の説明】
【０１３１】
０１０１：トレイ格納蓋
０１０２：回転トレイ
０１０３：本体
０１０４：機構駆動モータ
０１０５：ウォーム
０１０６：受け皿
０１０７：復動レバーＬ
０１０８：スタンバイ向付勢バネＬ
０１０９：ガイドレールＬ
【図１】
2008262634.tif 000004
【図２】
2008262634.tif 000005
【図３】
2008262634.tif 000006
【図４】
2008262634.tif 000007
【図５】
2008262634.tif 000008
【図６】
2008262634.tif 000009
【図７】
2008262634.tif 000010
【図８】
2008262634.tif 000011
【図９】
2008262634.tif 000012
【図１０】
2008262634.tif 000013
【図１１】
2008262634.tif 000014
【図１２】
2008262634.tif 000015
【図１３】
2008262634.tif 000016
【図１４】
2008262634.tif 000017
【図１５】
2008262634.tif 000018
【図１６】
2008262634.tif 000019
【図１７】
2008262634.tif 000020
【図１８】
2008262634.tif 000021
【図１９】
2008262634.tif 000022
【図２０】
2008262634.tif 000023
【図２１】
2008262634.tif 000024
【図２２】
2008262634.tif 000025
【図２３】
2008262634.tif 000026
【図２４】
2008262634.tif 000027
【図２５】
2008262634.tif 000028
【図２６】
2008262634.tif 000029
【図２７】
2008262634.tif 000030
【図２８】
2008262634.tif 000031
【図２９】
2008262634.tif 000032
【図３０】
2008262634.tif 000033
【図３１】
2008262634.tif 000034
【図３２】
2008262634.tif 000035
【図３３】
2008262634.tif 000036